(57)【特許請求の範囲】
【請求項１】
熱交換器、送風機および制御器を内蔵したユニット本体を天井に埋設し、上記ユニット本体下部に吸込グリルを着脱自在に保持した空気調和機において、前記ユニット本体下部に昇降用モータとこのモータにて駆動される２連の巻取プーリとを有する昇降メカユニットを設け、上記巻取プーリからそれぞれ繰り出される１本の吊りワイヤの各先端部同士をワンタッチ式接続金具で着脱可能に連結して接続し、上記吊りワイヤを上記吸込グリルに設けられた吊りワイヤガイド手段に摺動可能に挿通させたことを特徴とする天井埋込型空気調和機。
【請求項２】
前記ユニット本体下部に前記昇降メカユニットを対向して２台設け、上記昇降メカユニットからそれぞれ両側に繰り出される吊りワイヤの各先端部同士を相互に接続した請求項１記載の天井埋込型空気調和機。
【請求項３】
前記ユニット本体下部に単一の昇降メカユニットを設け、上記昇降メカユニットから両側に繰り出される吊りワイヤの各先端部同士を接続した請求項１記載の天井埋込型空気調和機。
【請求項４】
吊りワイヤガイド手段は、吊りワイヤを挿通ガイド可能なガイドポートを有し、上記ガイドポートのポート径を接続金具の外径寸法より大きく形成し、前記吊りワイヤガイド手段は吊りワイヤを着脱可能に挿通支持させた請求項１乃至３のいずれかに記載の天井埋込型空気調和機。
【請求項５】
吊りワイヤガイド手段は、ユニット本体の昇降メカユニットの両側にそれぞれ取り付けられて対をなし、対をなすユニット本体側の吊りワイヤガイド手段に対向して吸込グリル側に対を成す吊りワイヤガイド手段が取付けられ、前記ユニット本体側の対の吊りユニットガイド手段の取付スパンｌP を吸込グリル側の対のワイヤガイド手段の取付けスパンｌG より大きく形成し、昇降メカユニットの両側から繰り出される吊りワイヤで閉じた吊設支持ループをほぼ逆台形形状に構成した請求項１乃至４に記載の天井埋込型空気調和機。
【請求項６】
ユニット本体は下部に矩形の取付枠体を有し、この取付枠体の対向する側辺に昇降メカユニットをそれぞれ取付け、上記取付枠体の残りの側辺の一方に制御器を設けた請求項１乃至３のいずれかに記載の天井埋込型空気調和機。
【発明の詳細な説明】
【０００１】
【発明の属する技術分野】
本発明は、室内の冷暖房等の空気調和を行なう天井埋込型空気調和機に係り、特に天井パネルに吸込グリルを昇降自在に設けた天井埋込型空気調和機に関する。
【０００２】
【従来の技術】
室内の冷暖房等の空気調和を行なう空気調和機の中には、そのユニット本体を天井に埋設した埋込型空気調和機がある。この埋込型空気調和機には、特開平９−２１５４５号公報や実用新案登録第２５３２８９７号公報に開示されたものがある。
【０００３】
前者の天井埋込型空気調和機は、天井にユニット本体を埋設し、このユニット本体側から延びる４本の吊りワイヤ（吊り紐）で吸込グリルを昇降自在に支持し、この吸込グリルをクラッチ機構を介して昇降用モータの駆動で自動的に昇降させ得るようにしたものである。
【０００４】
また、後者の天井埋込型空気調和機は、ユニット本体から延びる吊りワイヤで天井パネルを昇降自在に支持し、この天井パネルを昇降用モータのモータ駆動により各トルクリミッタを介して昇降自在としたものである。なお、天井パネルには吸込グリルが備えられている。
【０００５】
従来の天井埋込型空気調和機は、ユニット本体側から吊り降ろされる４本の吊りワイヤの各先端を吸込グリルあるいは天井パネルに個別にかつ直接取付け、昇降用モータのモータ駆動によりクラッチ機構あるいはトルクリミッタを介して吸込グリルあるいは天井パネルを昇降自在に支持している。
【０００６】
従来の天井埋込型空気調和機は、吸込グリルや天井パネルの昇降をクラッチ機構あるいはトルクリミッタを介して昇降用モータにて行ない、上記クラッチ機構やトルクリミッタにて吊りワイヤの長さのバラツキや巻むらを吸収し、吸込グリルや天井パネルを安定的に昇降させ、ユニット本体の下部側に据付けることができるようになっている。
【０００７】
しかし、従来の天井埋込型空気調和機においては、クラッチ機構やトルクリミッタの機能部品を設けて吊りワイヤの長さのバラツキや巻きむらを吸収しているが、クラッチ機構やトルクリミッタが昇降機構の中に組み込まれるために、その分構成部品が増加し、コストアップの原因となったり、取付時の調整工数が増え、取付作業の簡素化が図れなかったり、故障発生要因の増加を招く等の問題があった。
【０００８】
クラッチ機構やトルクリミッタを昇降機構の中に組み込むことによる不都合を解消する手段として、特開平１０−３８３０９号公報記載の天井埋込型空気調和機がある。この天井埋込型空気調和機は、吸込グリルの４隅に吊りワイヤガイド手段を設け、さらにこの吊りワイヤガイド手段の上方の取付筐体に吊りワイヤガイド手段を２つ設け、これらの吊りワイヤガイド手段に１本の吊りワイヤを通し、この吊りワイヤの１端を取付筐体に固定し、他端をモータ駆動される単一メカユニットの巻取プーリに取り付け、この巻取プーリを正逆回転させることにより吊りワイヤを巻取もしくは繰り出すことにより吸込グリルを昇降自在にしたものである。
【０００９】
この天井埋込型空気調和機では、単一の昇降メカユニットの巻取プーリに固定された吊りワイヤを巻き取っているので、単一の巻取プーリに巻き取られる吊りワイヤの巻取量が多く、吸込グリルの昇降に時間がかかり、また、１か所から吊りワイヤを巻き取るので、吸込グリルの昇降時にバランスが崩れやすくなり、不安定である。吸い込みグリルの昇降時に１方向から吊りワイヤの全量を巻き取っており、この巻き取りでは巻きむらが生じたり、吸込グリルがスムーズに安定的に昇降できない恐れがある。
【００１０】
【発明が解決しようとする課題】
従来の天井埋込型空気調和機においては、クラッチ機構やトルクリミッタの機能部品を設けて吊りワイヤの長さのバラツキや巻きむらを吸収しているが、クラッチ機構やトルクリミッタが昇降機構の中に組み込まれるために、その分構成部品が増加し、コストアップの原因となったり、取付時の調整工数が増え、取付作業の簡素化が図れなかったり、故障発生要因の増加を招く等の問題があった。
【００１１】
また、単一の昇降メカユニットの巻取プーリで１方向から吊りワイヤを巻き取るタイプの天井埋込型調和機では、一端が取り付け筐体に固定されたワイヤをモータにて駆動される単一の巻取プーリで巻き取っているので、巻取プーリに巻き取られるワイヤの量が多く、吸込グリルの昇降に時間がかかり、また、１方向からワイヤを巻き取るので、吸込グリルの昇降時にバランスが崩れやすくなり、不安定である。したがって、吸い込みグリルの昇降時にワイヤが絡まりやすく、ワイヤが引っ掛かると、１方向からのワイヤの巻き取りでは吸込グリルが昇降不能となってしまう。
【００１２】
本発明は、上述した事情を考慮してなされたもので、クラッチ機構やトルクリミッタを必要としなくても吊りワイヤの長さのバラツキや巻むらを吸収可能とし、吸込グリルを昇降自在に安定的に支持した天井埋込型空気調和機を提供することを目的とする。
【００１３】
本発明の他の目的は、クラッチ機構やトルクリミッタを不要として構成部品を削減し、取付作業を簡素化し、作業性を向上させた天井埋込型空気調和機を提供するにある。
【００１４】
本発明のさらに他の目的は、吸込グリルを昇降自在で着脱自在に支持し、メンテナンス時やサービス時の作業性を向上させる一方、吸込グリルを開放させることで昇降メカユニットや制御器の取外し、交換が容易に行なえる天井埋込型空気調和機を提供するにある。
【００１５】
本発明の別の目的は、吊りワイヤに吸込グリルを昇降可能で傾斜・摺動可能に支持することで、吸込グリルへのフィルタの脱着を能率よく、安定した定位置で行なうことができる天井埋込型空気調和機を提供するにある。
【００１６】
本発明のさらに別の目的は、吸込グリルの上昇時に、吸込グリルの振れを有効的に防止し、ユニット本体の下部に安定的に干渉を生じさせることなく据付けることができる天井埋込型空気調和機を提供するにある。
【００１７】
本発明の別の目的は、クラッチ機構やトルクリミッタを不要として構成部品を削減し、取付作業を簡素化し、作業性を向上させ、さらには、吸込グリルの昇降時間を短縮させた天井埋込型空気調和機を提供するにある。
【００１８】
【課題を解決するための手段】
上述した課題を解決するために、請求項１の発明では、熱交換器、送風機および制御器を内蔵したユニット本体を天井に埋設し、上記ユニット本体下部に吸込グリルを着脱自在に保持した空気調和機において、前記ユニット本体下部に昇降用モータとこのモータにて駆動される２連の巻取プーリとを有する昇降メカユニットを設け、上記巻取プーリからそれぞれ繰り出される１本の吊りワイヤの各先端部同士をワンタッチ式接続金具で着脱可能に連結して接続し、上記吊りワイヤを上記吸込グリルに設けられた吊りワイヤガイド手段に摺動可能に挿通させたことを特徴とする。
【００１９】
請求項２の発明では、前記ユニット本体下部に前記昇降メカユニットを対向して２台設け、上記昇降メカユニットからそれぞれ両側に繰り出される吊りワイヤの各先端部同士を相互に接続したものである。
【００２０】
請求項３の発明では、前記ユニット本体下部に単一の昇降メカユニットを設け、上記昇降メカユニットから両側に繰り出される吊りワイヤの各先端部同士を接続したものである。
【００２２】
請求項４の発明では、吊りワイヤガイド手段は、吊りワイヤを挿通ガイド可能なガイドポートを有し、上記ガイドポートのポート径を接続金具の外径寸法より大きく形成し、前記吊りワイヤガイド手段は吊りワイヤを着脱可能に挿通支持させたものである。
【００２３】
請求項５の発明では、吊りワイヤガイド手段は、ユニット本体の昇降メカユニットの両側にそれぞれ取り付けられて対をなし、対をなすユニット本体側の吊りワイヤガイド手段に対向して吸込グリル側に対を成す吊りワイヤガイド手段が取付けられ、前記ユニット本体側の対の吊りユニットガイド手段の取付スパンｌＰを吸込グリル側の対のワイヤガイド手段の取付けスパンｌＧより大きく形成し、昇降メカユニットの両側から繰り出される吊りワイヤで閉じた吊設支持ループをほぼ逆台形形状に構成したものである。
【００２４】
請求項６の発明では、ユニット本体は下部に矩形の取付枠体を有し、この取付枠体の対向する側辺に昇降メカユニットをそれぞれ取付け、上記取付枠体の残りの側辺の一方に制御器を設けたものである。
【００２５】
【発明の実施の形態】
本発明に係る天井埋込型空気調和機の実施の形態について添付図面を参照して説明する。
【００２６】
【第１実施形態】
図１は、本発明に係る天井埋込型空気調和機の第１実施形態を示すもので、空気調和機の室内側ユニット１０を天井に埋設した状態を簡略的に示す断面図である。
【００２７】
室内側ユニット１０のユニット本体１１は、天井１２に埋設される一方、ユニット本体１１内の中央部に送風機１３が内蔵され、この送風機１３の周りに熱交換器１４が配設される。熱交換器１４の下部には、発生したドレンを集めるドレン皿１５が設けられる。送風機１３はファンモータ１６にて駆動されるファン１７を備え、このファンモータ１６はユニット本体１１側に設置されたマイコン等の制御器１８により駆動制御される。制御器１８はユニット本体１１内に形成される空気流路２０を阻害しないように、例えばドレン皿１５の内周側に設けられる。
【００２８】
また、ユニット本体１１の下部には矩形の取付枠体（箇体）２１が設けられ、この取付枠体２１と一体あるいは一体的に天井パネル２２が備えられる。天井パネル２２は化粧パネルを構成しており、ユニット本体１１の底部に設けられている。天井パネル２２は天井１２に形成される室内側ユニット１０の取付開口２３を下方から覆うようにして据付けられる。
【００２９】
天井パネル２２の中央部には、吸込グリル２５が着脱自在にかつ昇降自在に設けられる。吸込グリル２５にはオイルガードフィルタ等の長寿命タイプのフィルタ２６が着脱自在に設置される。吸込グリル２５は昇降装置としての昇降メカユニット２７により吊りワイヤ２８を介して昇降自在に支持され、天井パネル２２の中央に形成される取付開口２３に着脱可能に据付けられる。
【００３０】
昇降メカユニット２７はユニット本体１１下部の取付枠体２１に対向して一対設けられる。昇降メカユニット２７は取付枠体２１の対向する側辺の内周面に取付けられ、その作動は、マイコン等の昇降用制御器２９により制御される。この制御器２９は吸込グリル２５の昇降を作動制御するもので取付枠体２１の残りの側辺の一方に設けられる。昇降メカユニット２７や制御器２９は吸込グリル２５から吸い込まれる空気流の流れを阻害しないユニット本体１１内下部のデッドスペース位置に設けられる。
【００３１】
しかして、天井埋込型空気調和機の室内側ユニット１０はユニット本体１１内に送風機１３、熱交換器１４および制御器１８、２９が内蔵される。ユニット本体１１内には吸込グリル２５に形成される吸込口から熱交換器１４を経て吹出口３０に至る空気流路２０が形成される。吹出口３０は、天井パネル２２に形成され、吹出ルーバー３１により吹出角度が調整される。吹出口３０は吸込グリル２５の外周辺に形成され、空気流路２０はユニット本体１１内で反転した流路となっている。
【００３２】
一方、送風機１３の作動により、吸込グリル２５の吸込口から吸引された室内空気は放射方向外方に案内されて熱交換器１４側に吹き出され、この熱交換器１４側で熱交換された冷却風あるいは湿風が、反転して空気流路２０を通り、吹出口３０から室内に吹き出され、室内の冷暖房等の空気調和を行なうようになっている。送風機１３の作動制御は、ユニット本体１１側設置の空調機用制御器１８にて行なわれ、図示しないリモートコントローラにより遠隔制御される。
【００３３】
一方、図１において左右一対設けられる２台の昇降メカユニット２７、２７は、相互に同じ構成を有するので、片方の説明を省略する。昇降メカユニット２７はユニット本体１１下部に、例えば取付枠体２１の内側面に、吸込口からの空気流路２０を阻害しないように設置される。
【００３４】
昇降メカユニット２７は、図２乃至図４に示すようにボックス状のユニットケーシング３３が取付枠体２１に取付けられる一方、昇降メカユニット２７は可逆式の昇降用モータ３５と、このモータ出力軸３６に設けられるモータギア３７と、このモータギア３７に噛合するドリブンギアとしてのプーリギア３８とを有する。昇降用モータ３５には図示しない減速機が必要に応じて備えられる一方、プーリギア３８は２連の巻取プーリ４０を一体に備えており、昇降用モータ３５の駆動により、巻取プーリ４０が回転駆動せしめられる。昇降用モータ３５の駆動はリミットスイッチ４１によって制限される。
【００３５】
２連の巻取プーリ４０から巻取ワイヤとしての吊りワイヤ２８ａ、２８ｂがガイドリーブ（ガイドローラ）４３に案内されて左右両側から繰り出されるようになっている。吊りワイヤ２８ａ、２８ｂは巻取プーリ４０内で連なり、一体化させて１本の吊りワイヤ２８で構成される。吊りワイヤ２８はワイヤケーブルであっても、吊り紐であってもあるいは吊りロープであってもよい。巻取プーリ４０から繰り出された吊りワイヤ２８ａ、２８ｂは吊りワイヤガイド手段４４に摺動可能に案内される。吊りワイヤ２８ａ、２８ｂの各先端部はワンタッチ式のワイヤ接続金具４５により着脱可能に相互に連結され、閉じた吊設支持ループを構成している。
【００３６】
吊りワイヤ２８ａ、２８ｂを摺動自在にガイドする吊りワイヤガイド手段４４は、ユニット本体１１側と吸込グリル２５側に２個づつ対をなして設けられる。ユニット本体１１側には昇降メカユニット２７の左右両側に設けられ、また、吸込グリル２５側にもユニット本体１１側に対向して一対の吊りワイヤガイド手段４４が設けられる。各吊りワイヤガイド手段４４は互いに同一構造のワイヤガイドメンバ４６で構成され、コストダウンを図っている。その際、ユニット本体１１側の対をなす吊りワイヤガイド手段４４、４４の取付スパンｌP は吸込グリル２５側の対の吊りワイヤガイド手段４４、４４の取付スパンｌG より大きく形成され、昇降時における吸込グリル２５の制振作用と、吸込グリル２５の据付時における吊りワイヤガイド手段４４、４４相互の干渉防止を効率よく行なっている。
【００３７】
吊りワイヤガイド手段４４のワイヤガイドメンバ４６は型成形で形成される。ワイヤガイドメンバ４６は吊りワイヤ２８ａ、２８ｂを挿通ガイド可能なガイドポート４７を有し、そのポート径はワイヤ接続金具４５が容易に挿通されるように、接続金具４５の外径寸法より大きく形成される。ワイヤガイドメンバ４６のガイドポート４７は、図５（Ａ）および（Ｂ）に示すように弧状のなめらかなワイヤ接触ガイド面４８を少なくともポート一側に形成し、ガイドポート４７に挿通される吊りワイヤ２８となめらかに接触し、吊りワイヤ２８の損傷や折損を有効的に防止している。ワイヤ接触ガイド面４８は吊りワイヤ２８をどの方向からも自由に案内できるようにガイドポート４７の周方向にわたって形成される。
【００３８】
また、２連の巻取プーリ４０から左右に繰り出される対をなす吊りワイヤ２８ａ、２８ｂの先端部はリング状にかしめられて図６に示すように接続ループ５０が形成される。一方の吊りワイヤ２８ｂの接続ループ５０に図６に示されるワンタッチ式接続金具４５が通されて掛止めされ、この接続金具４５を他方の吊りワイヤ２８ａの接続ループ５０に掛止めすることで、相互にワンタッチで着脱可能に連結される。
【００３９】
しかして、２連の巻取プーリ４０から一側に繰り出される吊りワイヤ２８ｂの先端をユニット本体１１側の吊りワイヤガイド手段４４を通した後、さらに吸込グリル２５側の吊りワイヤガイド手段４４にも挿通させる。同様に２連の巻取プーリ４０の他側から繰り出される吊りワイヤ２８ａの先端をユニット本体１１側の吊りワイヤガイド手段４４、続いて吸込グリル２５側の吊りワイヤガイド手段４４をそれぞれ挿通させる。その後、１本の吊りワイヤ２８で構成される吊りワイヤ２８ａ，２８ｂの先端部同士をワンタッチ式接続金具４５を用いて連結することで、吊りワイヤ２８は図２に示すように略逆台形形状の吊設支持ループが構成され、この吊設支持ループで吸込グリル２５の一側が、ユニット本体１１側に吊設され、昇降メカユニット２７により昇降自在に支持される。
【００４０】
吸込グリル２５の他側も、ユニット本体１１の他側に取付けられた昇降メカユニット２７に支持されることで、吸込グリル２５はユニット本体１１に昇降自在に支持され、各昇降メカユニット２７の昇降用モータ３５をリモートコントローラを用いて駆動させることにより、吸込グリル２５がユニット本体１１の下部に着脱自在に据付けられる。
【００４１】
リモートコントローラからの送信信号は受光部５１を通して室内制御器１８や昇降用制御器２９に伝達される。受光部５１は例えば天井パネル２２や吸込グリル２５にそれぞれ設けられる。リモートコントローラから昇／降／停止の信号が送信されると、昇降メカユニット２７のモータ３５が正／逆／回転あるいは停止される。この昇降用モータ３５のモータ駆動により吸込グリル２５のユニット本体１１への着脱や昇降が案内される。
【００４２】
次に、天井埋込型空気調和機における吸込グリル２５の脱着や昇降作用を、従来の天井埋込型空気調和機と比較しながら説明する。
【００４３】
図７（Ａ）は本実施形態の天井埋込型空気調和機における吸込グリル２５の支持方法を示したものであり、図７（Ｂ）は従来の天井埋込型空気調和機における吸込グリルａの支持方法を示したものである。
【００４４】
本実施形態の天井埋込型空気調和機においては、吸込グリル２５の据付時に、昇降メカユニット２７のモータ３５を駆動させて吸込グリル２５を上昇させる際、吸込グリル２５が斜めの状態で引き上げられても、吸込グリル２５をユニット本体１１下部にスムーズに安定的に据付けることができる。
【００４５】
この場合、吸込グリル２５は昇降メカユニット２７の左右両側から繰り出される吊りワイヤ２８ａ、２８ｂにより支持されるが、左右対をなす吊りワイヤ２８ａ、２８ｂはワンタッチ式接続金具４５で接続されて閉じた吊設支持ループを構成しており、各吊りワイヤ２８ａ、２８ｂは吊りワイヤガイド手段４４に摺動自在にガイドされるので、吸込グリル２５の斜め状態は自動的に矯正することができる。
【００４６】
このため、昇降メカユニット２７の駆動時に吸込グリル２５が斜めの傾斜状態で引き上げられ、吸引グリル２５の一側が点Ｐで先に接触しても、昇降メカユニット２７のワイヤ巻上げ作動を停止させることなく、継続させることができる。昇降メカユニット２７のワイヤ巻上げ運転をそのまま継続させても、閉じた吊設支持ループを構成する吊りワイヤ２８（２８ａ，２８ｂ）が吊りワイヤガイド手段４４にスライド自在にガイドされるので、吸込グリル２５の斜め状態が自動的に矯正されてユニット本体１１下部の天井パネル取付開口２３に確実にかつ安定的に据付けられる。すなわち、吸込パネル２５が天井パネル２２の段付き取付開口２３に確実に納まり、「閉状態」になるまで昇降メカユニット２７の運転を継続させることができる。
【００４７】
従来の天井埋込型空気調和機では、図７（Ｂ）に示すように、昇降メカユニットｂの左右両側から繰り出される吊りワイヤｃの先端部がそれぞれ吸込グリルａに直接接続されているので、昇降メカユニットｂに△Ｌの巻きむらが存在すると、吸込みグリルａがユニット本体ｄの下部に納まる前に昇降メカユニットｂのワイヤ巻上げ作動を停止させる必要がある。
【００４８】
すなわち、昇降メカユニットｂに△Ｌの巻むらが存在する状態で吸込みグリルａを巻上げ、点Ｐで吸込グリルａの一側が接触すると、昇降メカユニットｂのモータｅはロック状態となって停止してしまう。このため、クラッチ機構等を用いて昇降用モータｅを遅延動作させない限り、巻むら△Ｌの隙間を解消させることができない。
【００４９】
しかし、本実施形態の天井埋込型空気調和機では、昇降メカユニット２７に巻きむらが存在しても、この巻きむらによる隙間の発生をクラッチ機構やトルクリミッタを用いることなく吊りワイヤ２８のスライドにより自動的に解消することができる吊設支持方法を提供することができる。
【００５０】
また、本実施形態の天井埋込型空気調和機においては、吸込グリル２５は左右対をなす吊りワイヤ２８ａ，２８ｂにより図８（Ａ）に示すように支持され、このとき、左右対をなす吊りワイヤ２８ａ，２８ｂは逆台形形状の閉ループを構成する。
【００５１】
吸込グリル２５を逆台形形状の吊設支持ループを構成する吊りワイヤ２８ａ、２８ｂで支持することにより、吸込グリル２５はユニット本体１１から離れた支持状態で振れ止め機能が生じる。図７（Ａ）に示される吸込グリル２５の支持状態において、吊りワイヤ２８ａ、２８ｂに作用する張力の分力が吸込グリル２５の振れを防止する方向に常時作用するので、吸込グリル２５の振動を従来より小さくでき、振動減衰効果が大きい。
【００５２】
例えば、吸込グリル２５が図７（Ａ）に点線で示す左側位置にくると、右側の吊りワイヤ２８ｂに右側に戻そうとする分力が作用する。一方、吸込グリル２５が一点鎖線で示す右側位置に来ると、左側の吊りワイヤ２８ａに左側に戻そうとする分力が作用する。吸込グリル２５が中央位置にくると、左右の吊りワイヤ２８ａ，２８ｂに互いに打ち消し合う分力が作用するので、吸込グリル２５に振れ減衰作用が働く。
【００５３】
これに対し、従来の天井埋込型空気調和機では、吸込グリルａはユニット本体ｄに吊りワイヤｃでブランコ状態に支持され、吸込グリルａに振れ止め機能が作用しない。このため、吸込グリルａに左右の振れが生じると、吸込グリルａの振れが継続され、不安定な吊設状態におかれる。
【００５４】
また、図９に示すように、吸込グリル２５を傾けて上昇させた場合、吸込グリル２５が天井パネル２２の片側に点Ｐでしっかり当接しようとする分力がより強く働くので、吸込グリル２５を天井パネル２２に確実にかつスムーズに納める効果がある。
【００５５】
すなわち、吊りワイヤガイド手段４４のユニット本体１１側の取付スパンを
ｌP 、吸込グリル２５側の取付スパンをｌG としたとき、ｌP ＞ｌG の関係に取り付けたので、吸込グリル２５の自重による吊りワイヤ２８ｂの張力をＦとすると、吊りワイヤ２８ｂに作用する分力はＦcos θ  となり、取付スパンをｌP ＝ｌG としたときより大きくできる。したがって、吸込グリル２５が斜め状態で引き上げられても、吸込グリル２５が途中が引っ掛かることなく、点Ｐに安定的に当接するので、吸込グリル２５の対辺側を天井パネル２２の段付き取付開口２３に確実にかつしっかり納めることができる。
【００５６】
また、吸込グリル２５に吊りワイヤガイド手段４４を対をなすように取り付け、この吊りワイヤガイド手段４４に吊りワイヤ２８ａ，２８ｂをスライド自在に挿通させたので、吸込グリル２５を傾斜可能で昇降自在に支持させることができる。これにより、フィルタ掃除時に、吸込グリル２５からフィルタ２６の取付、取外しが容易になる。図１０は吸込グリル２５を傾斜可能で昇降自在に支持した状態を説明する図である。
【００５７】
吸込グリル２５の降下位置は、多段階に切換可能に昇降用制御器２９により調整される。昇降メカユニット２７の駆動により、例えば天井から３ｍ／２ｍ／１．５ｍ／１．０ｍ位置に降下できるようになっているが、吸込グリル２５を傾斜可能でスライド自在に閉じた吊設支持ループで挿通支持させることにより、作業員の身長如何に拘らず、フィルタ２６の取付、取外しを容易に行なうことができる。下方に障害物５３がある場合にも、フィルタ脱着作業を円滑かつスムーズに行なうことができる。
【００５８】
また、この天井埋込型空気調和機においては、サービス時やメンテナンス時に１箇所のワンタッチ式接続金具４５を外すだけで図１１に示すように、吸込グリル２５はオープンな垂直状態となり、室内ユニット１０側のメンテナンスやサービス時の作業性が向上する一方、吸込グリル２５の保守やメンテナンス作業も円滑かつスムーズに行なうことができる。
【００５９】
吸込グリル５２を開けるだけで、ユニット本体１１側に設けられた昇降メカユニット２７や制御器１８，２９の脱着作業をスムーズに行なうことができる。
【００６０】
例えば、室内ユニット１０や吸込グリル２５のサービス・メンテナンス時に、吸込グリル２５の片側の接続金具４５を外すだけで、室内ユニット１０内の制御器１８、２９や昇降メカユニット２７のサービス・点検が可能となる。昇降メルカユニット２７や吸込グリル用制御器２９はユニット本体１１下部の取付枠体２１にねじ固定してあるので、容易に脱着・交換が可能となる。その際、天井の高い位置で重量のある天井パネル２２をその都度取り外す必要がないので、サービス・メンテナンス時の安定性や作業性が向上する。
【００６１】
さらに、昇降メカユニット２７や昇降用制御器２９はユニット本体１１の下部に取り付けられる。この昇降メカユニット２７や制御器２９は、ユニット本体１１下部の取付枠体（取付枠筺体）２１の内側面に取り付けたので、吸込部の面積を占領することがなく、ユニット本体１１内に形成される空気流路２０の抵抗損失を増加させない。したがって、空気調和機の性能低下を招くこともない。
【００６２】
【第２実施形態】
図１２は、本発明に係る天井埋込型空気調和機の第２実施形態を示す概略斜視図である。
【００６３】
本実施形態の天井埋込式空気調和機の室内ユニット１０Ａでは、吸込グリル２５およびユニット本体１１側にそれぞれ４個づつ吊りワイヤガード手段４４が対をなして設けられる。これらの吊りワイヤガイド手段４４には、１本の吊りワイヤ２８が挿通される。このワイヤの両端は昇降用モータ３５にて駆動される２連の巻取プーリ４０ａを有する昇降メカユニット２７ａにそれぞれ接続され、この昇降メカユニット２７ａの２連の巻取プーリ４０ａ内で接合される。
【００６４】
この昇降メカユニット２７ａでは、２連の巻取プーリ４０ａに接続された吊りワイヤ２８を昇降メカユニット２７ａの両側から繰出しまたは巻き戻すことにより吸込グリル２５の昇降作業を行う。そのほかは前記実施形態と同様なので説明を省略する。
【００６５】
この天井埋込型空気調和機では、２連の巻取プーリ４０ａに接続されたワイヤを昇降メカユニット２７の両側から繰出しまたは巻き戻すことにより、図１３に示すように吸込グリルの昇降時に、吸込グリル２５がある程度傾いてもクラッチ機構やトルクリミッタを要せずに取り付け開口２３にしっかりと固定される。
【００６６】
本実施形態によれば、第１実施形態と同様の効果に加え、昇降用モータ３５にて駆動される単一の昇降メカユニット２７ａを備え、単一の昇降メカユニット２７ａにモータ駆動の２連の巻き取りプーリ４０ａを有する構成とすることができ、装置構成を簡略化することができる。
【００６７】
また、２連の巻取プーリ４０ａにより昇降メカユニット２７ａの両側から吊りワイヤ２８をバランスよく巻き取るので吊りワイヤ２８を安定的に巻き取りまたは繰り出すことができ、吊りワイヤ２８が絡まりにくく、効率よく安定的に巻き取ることができる。また、２連の巻き取りプーリ４０ａにて昇降メカユニット２７ａの両側から吊りワイヤ２８を同時に巻き取るので吊りワイヤー２８巻取量や繰出し量がその分少なくなり、巻き取りもしくは繰出しに要する時間が短縮され、吸込グリル２５の昇降作業時間が短縮されるという効果が得られる。
【００６８】
（変形例）
図１４は、空気調和機の第２実施形態における変形例を示すものである。
【００６９】
本変形例の室内ユニット１０Ｂでは、昇降メカユニット２７ａの巻き取りプーリ４０ａから巻き取りまたは繰出される吊りワイヤ２８の各先端部をワンタッチ式の接続金具４５で係止したものである。その他は、第２実施形態と異ならないので説明を省略する。
【００７０】
本変形例によれば第２実施形態と同様の効果に加え、ワンタッチ式の接続金具４５の脱着作業により吸込グリル２５のメンテナンスを容易に行えるという効果が得られる。
【００７１】
なお、天井埋込型空気調和機の第１実施形態では、天井パネルをユニット本体下部に据え付け、据え付けられた天井パネル２２に対し吸込グリル２５を脱着自在で昇降可能に取り付けた例を示したが、天井パネル２２をユニット本体１１下部に脱着自在で昇降可能に取り付けてもよい。この場合には、吸込グリル２５を天井パネル２２に一体あるいは一体的に形成しても、天井パネル２２に着脱自在としてもよい。
【００７２】
さらに、昇降メカユニット２７は２連の巻取プーリ４０ａを可逆回転可能に備え、上記巻取プーリ４０ａから１本の吊りワイヤを左右に繰り出すようにしたが、昇降メカユニット２７ａが共通あるいは個別の昇降用モータ３５でモータ駆動される２連の巻取プーリ４０ａを備え、各巻取プーリ４０ａから両側に吊りワイヤ２８を個別に繰り出すようにしてもよい。
【００７３】
【発明の効果】
以上に述べたように、本発明に係る天井埋込型空気調和機においては、昇降メカユニットの両側から繰り出さる吊りワイヤの各先端部同士を相互に接続する一方、上記吊りワイヤを吸込グリルに設けられた吊りワイヤガイド手段に摺動可能に挿通支持させたので、昇降メカユニットの両側から繰り出される吊りワイヤで閉じた吊持支持ループを構成し、この吊持支持ループで吸込グリルを摺動自在に支持させることができ、吸込グリル据付操作時の昇降メカユニットによる吊りワイヤの巻きむらをクラッチ機構やトルクリミッタを設けることなく自動的に吸収し、解消させることができ、吸込グリルを傾き可能で摺動自在に支持したので、吸込グリルへのフィルタの脱着作業の簡易化が図れる。
【００７４】
また、本発明に係る天井埋込型空気調和機においては、ユニット本体の下部に吸込グリルを昇降自在で着脱可能に取り付ける際、クラッチ機構やトルクリミッタを不要として構成部品を削減することができるので、組付作業が簡素化され、作業性を向上させることができる一方、保守・メンテナンス時に１箇所の取付金具を吊りワイヤから外すだけで、空気調和機の室内ユニットや吸込グリルのフィルタの保守・メンテナンスを効率よく能率的に行なうことができる。
【００７５】
本発明に係る天井埋込型空気調和機においては、吸込グリルを傾けた傾斜状態で上昇させても、吸込グリルがユニット本体下部（天井パネル）にしっかり当接しようとする吊りワイヤへの分力が強く作用し、吸込グリルをユニット本体下部（天井パネルの取付開口）に安定的にかつ確実に納めることができ、この吸込グリルの据付操作が円滑かつ自動的に行なわれる。
【００７６】
さらに、本発明に係る天井埋込型空気調和機においては、吸込グリルをユニット本体下部から解放させるだけで室内ユニットに据え付けられた昇降メカユニットの脱着操作を容易に行なうことができ、保守・メンテナンス時の作業性が向上する一方、昇降メカユニットや制御器をユニット本体下部の内側面にユニット本体内の空気流路を阻害することなく設けたので、空気流路の抵抗損失を増大させることがなく、室内ユニットの熱交換性能を充分に維持することができ、機器の信頼性向上を図ることができる。
【００７７】
本発明に係る天井埋込型空気調和機においては、単一の昇降メカユニット内にモータ駆動される２連の巻取プーリを有し、この２連の巻取プーリにて単一の昇降メカユニットの両側から同時に吊りワイヤを巻取りまたは繰り出すのでので、ワイヤ巻取量や繰り出し量を少なくすることができ、吸込グリルの昇降時の不安定を防止でき、吸込グリルの昇降作業を安定的に行うことができ、吊りワイヤに取り付けたワンタッチ式の接続金具の脱着により吸込グリル側の吊りワイヤガイド手段に挿通した吊りワイヤを取り外すことができ、室内ユニットからの吸込グリルの脱着作業を行うことができ、吸込グリルのメンテナスを容易に行うことができる。
【図面の簡単な説明】
【図１】本発明に係る天井埋込型空気調和機の第１実施形態を簡略的に示す断面図。
【図２】本発明に係る天井埋込型空気調和機における吸込グリルの支持構造を示す斜視図。
【図３】上記吸込グリルを昇降自在に支持する昇降メカユニットの取付態様を示す図。
【図４】昇降メカユニットに備えられる構成部品の分解斜視図。
【図５】（Ａ）は昇降メカユニットから繰り出される吊りワイヤを挿通可能で摺動可能に案内する吊りワイヤガイド手段を示す図、（Ｂ）は図５（Ａ）のＶ−Ｖ線に沿う縦断面図。
【図６】昇降メカユニットの両側から繰り出される吊りワイヤ先端部の接続構造の一例を示す図。
【図７】（Ａ）および（Ｂ）は本発明に係る天井埋込型空気調和機と従来の空気調和機における吸込グリル支持状態を比較して示す図。
【図８】（Ａ）および（Ｂ）は本発明に係る天井埋込型空気調和機と従来の空気調和機における吸込グリル支持状態において、吊りワイヤに作用する力を分析して示す図。
【図９】本発明に係る天井埋込型空気調和機において、吸込グリルを傾けて上昇させた場合の吊りワイヤに作用する力関係を解析した図。
【図１０】比較的高い位置で吸込グリルへのフィルタの交換作業を示した図。
【図１１】本発明に係る天井埋込型空気調和機のメンテナンス時における吸込グリルのオープン状態を示す図。
【図１２】本発明に係る天井埋込型空気調和機の第２実施形態を示す概略斜視図。
【図１３】本発明に係る天井埋込型空気調和機の第２実施形態を説明する概略斜視図。
【図１４】本発明に係る天井埋込型空気調和機の第２実施形態における変形例を説明する概略斜視図。
【符号の説明】
１０、１０Ａ、１０Ｂ  室内ユニット
１１  ユニット本体
１２  天井
１３  送風機
１４  熱交換器
１５  ドレン皿
１６  ファンモータ
１７  ファン
１８  制御器
２０  空気流路
２１  取付枠体（取付筺体）
２２  天井パネル
２３  取付開口
２５  吸込グリル
２６  フィルタ
２７、２７ａ  昇降メカユニット
２８、２８ａ、２８ｂ  吊りワイヤ
２９  昇降用制御器
３０  吹出口
３１  吹出ルーバ
３３  ユニットケーシング
３５  昇降用モータ
３６  出力軸
３７  モータギア
３８  プーリギア
４０、４０ａ  巻取プーリ
４１  リミットスイッチ
４４  吊りワイヤガイド手段
４５  接続金具
４６  ワイヤガイドメンバ
４７  ガイドポート
４８  ワイヤ操作ガイド面
５０  接続金具
【図１】
0004109771.tif 000002
【図２】
0004109771.tif 000003
【図３】
0004109771.tif 000004
【図４】
0004109771.tif 000005
【図５】
0004109771.tif 000006
【図６】
0004109771.tif 000007
【図７】
0004109771.tif 000008
【図８】
0004109771.tif 000009
【図９】
0004109771.tif 000010
【図１０】
0004109771.tif 000011
【図１１】
0004109771.tif 000012
【図１２】
0004109771.tif 000013
【図１３】
0004109771.tif 000014
【図１４】
0004109771.tif 000015